【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
一体の混合手段を有する使い捨て自在の容器中でミルクセーキのような混合食品を小分けする方法であって、容器の外側で且つ容器から離れて別の駆動手段に駆動連結することのできる、容器をつくり次いで他の容器と抱き合わせて充填位置へ輸送すること；容器の抱き合わせを解き小分け位置から遠い充填位置で食品成分を充填すること；成分を容器内に密封するために容器を封止すること；容器及びその中味を少なくとも提供温度に冷却すること；小分け位置で混合手段を駆動手段へ解放自在に駆動できるように連結すること；駆動手段を作動させて混合手段を動かし、容器内の混合された食品にアクセスして容器から混合された食品を取り出し、次いで容器を処分することを特徴とする、混合食品の小分け方法。
【請求項２】
各容器が、他の容器をその中に抱き合わせ自在に入れることのできる上部の開口端を有し、抱き合わせ解放後に容器の開口端部が食品成分を受け入れるように働き、開口端部が、容器に成分を充填した後に密封状に閉じられることを特徴とする、請求項１に記載の小分け方法。
【請求項３】
容器が、混合手段の配置される下端を有し、混合手段へのアクセスが、取り外し可能な封止手段により下端で封鎖されていることを特徴とする、請求項１または２に記載の小分け方法。
【請求項４】
充填位置で容器を食品で一部充填し、それによって、混合の間に混合食品が膨張することのできるスペースを食品の上に形成することを特徴とする、請求項１〜３のいずれかに記載の小分け方法。
【請求項５】
混合動作後に、混合食品へのアクセスを可能にする成分のための密封手段を設けることを特徴とする、請求項１〜４のいずれかに記載の小分け方法。
【請求項６】
容器及びその中味を、成分充填後及び冷却状態で他の位置へ輸送する前に、冷却することを特徴とする請求項１〜５のいずれかに記載の小分け方法。
【請求項７】
混合前に成分を小分け位置の近くで冷却することを特徴とする請求項１〜５のいずれかに記載の小分け方法。
【請求項８】
容器を冷凍手段の中に入れることによって、または、混合前に成分に冷却剤を加えることによって、成分を冷却することを特徴とする、請求項７に記載の小分け方法。
【請求項９】
混合作業の間、容器を直立または倒立の姿勢、もしくは直立と倒立の中間の姿勢に置くことを特徴とする、請求項１〜８のいずれかに記載の小分け方法。
【請求項１０】
本発明の方法で使用するための容器であって、容器内へ食品成分を通して充填することができる上部開口と、上部開口を密封するための密封手段とを有する抱き合わせ可能な容器本体を有し、上部開口を通して一方を他方の中へ入れることにより、２つ以上の容器が抱き合わせ可能であること；容器が、容器内で食品成分を混合するため容器に対して回転可能な羽根車を含む一体の混合手段を有すること；羽根車を容器内で回転可能に取り付けるための位置決め手段を有すること；羽根車と連係して駆動手段との駆動連結のために容器の外側でアクセス可能であり、それによって羽根車が回転される駆動連結手段を有すること、混合手段が容器と恒久的に結合していること；及び、容器が、混合及び食品の容器からの消費後に使い捨て可能につくられていることを特徴とする容器。
【請求項１１】
２つ以上の容器を互いに抱き合わせるように、容器が端に向かってテーパのついた円形断面形状であり、容器の狭い方の端部が他方の容器のより広い上部開口に挿入されることを特徴とする、請求項１０に記載の容器。
【請求項１２】
密封手段が、上部開口に配置される熱封可能な部材、及び/または、クリップオン形式のふたであることを特徴とする、請求項１０または１１に記載の容器。
【請求項１３】
密封手段が、羽根車を外気に対して封止するため、駆動連結手段の上に配置される熱封可能な部材であることを特徴とする、請求項１０〜１２のいずれかに記載の容器。
【請求項１４】
混合手段が、羽根車を一端の方へ、及び、駆動連結手段を他端の方へ支える軸を有することを特徴とする、請求項１１〜１３のいずれかに記載の容器。
【請求項１５】
混合手段が、容器本体との押し込めばめ組立体であり、組立体を保持するキャッチ手段を有することを特徴とする、請求項１４に記載の容器。
【請求項１６】
容器本体と羽根車軸との間に形成された支承表面を有することを特徴とする、請求項１４または１５に記載の容器。
【請求項１７】
混合手段が、上部開口から遠い方の容器の底部に配置されることを特徴とする請求項１０〜１６のいずれかに記載の容器。
【請求項１８】
混合手段が、上部開口のための密封手段を形成するふたに配置されることを特徴とする、請求項１０〜１６のいずれかに記載の容器。
【請求項１９】
上部開口用の密封手段が、容器の中味にアクセスするための手段を形成し、取り外し可能であるか、または、開口可能な部位を有することを特徴とする、請求項１０〜１８のいずれかに記載の容器。
【請求項２０】
容器が使い捨て自在であるように、容器が、薄壁射出成形のプラスチックであることを特徴とする、請求項１０〜１９のいずれかに記載の容器。
【請求項２１】
食品成分を容器の中へ充填することのできる上部開口を有する抱き合わせ可能な容器本体と、上部開口を封止するための密封手段とを有する容器を有すること；、２つ以上の容器本体が、上部開口を通して一方を他方の中へ入れることによって互いに抱き合わせ可能であること；、容器は、容器中に、容器内の食品成分を混合するための羽根車を含む、容器内の一体の混合手段を有すること；駆動手段を有すること；羽根車と連係し駆動手段との駆動連結のために容器に外側でアクセスすることのできる駆動連結手段を有すること；容器を取り付けて駆動手段と係合させるための取り付け手段を有すること；及び、容器を駆動手段と駆動連結状態に取り付け手段に取り付けることにより羽根車が回転可能になり、取り付け手段が容器のための台となることを特徴とする食品混合装置。
【請求項２２】
台が、容器の外形に従って形成された部分を有し、それによって混合中に容器の側壁を支持することを特徴とする請求項２１に記載の混合装置。
【請求項２３】
混合中の容器の上端のための支持具を有し、それが容器の上端と取り外し自在に係合できることを特徴とする請求項２１または２２に記載の混合装置。
【請求項２４】
支持具が、空気、冷却剤その他の添加物を混合中の成分へ射出する射出手段を有していることを特徴とする、請求項２３に記載の混合装置。
【請求項２５】
食品を容器に充填するための充填位置における充填手段と、容器及び連係した食品を冷却するための冷却手段と、容器の上端にシールを貼るためのシール貼り手段とを有することを特徴とする請求項２１〜２４のいずれかに記載の混合装置。
【請求項２６】
混合手段が、抱き合わせ可能な容器本体との組立体であり、混合手段が、開口への押し込みばめ式のものであり、且つ、混合手段が容器本体に対して回転する間相互に係合する表面が、支承表面となることを特徴とする請求項２４または２５に記載の混合装置。
【請求項２７】
混合位置で容器を囲むためのジョッキ手段と、ジョッキ手段によって担持され羽根車と駆動手段とを連結するための連結手段とを有し、それによって、混合の間駆動が駆動手段と羽根車との間に伝えられることを特徴とする請求項２１〜２６のいずれかに記載の混合装置。
【請求項２８】
ジョッキ手段が、ジョッキ手段を上げるためのハンドルを有し、そして、ジョッキ手段か、ジョッキ手段内のはめあいとして容器を受けるための内径を有することを特徴とする請求項２７に記載の混合装置。
【請求項２９】
ジョッキ手段が、ジョッキ手段の中へ容器を入れた後にジョッキを閉じるためのふた手段を有することを特徴とする請求項２７または２８に記載の混合装置。
【請求項３０】
連結手段が、ジョッキ手段の底部に、または、ジョッキ手段の上端のための閉じ部材の中に配置されることを特徴とする請求項２７〜２９のいずれかに記載の混合装置。